(57)【要約】【課題】容器の固定化と緩衝機能を備えた組函を提供する。【解決手段】裏板１と左側板２と表板３と右側板４と糊代５を連接し、左側板上・下辺に左袖フラップ６，７、右側板上・下辺に右袖フラップ８，９、裏板上・下辺に中板１０，１１、表板上・下辺に外板１２，１３を連接する。糊代と斜め支え片１６，１７と斜め固定片１８，１９と糊代を連接したセンタリング部材２２，２３を、左・右袖フラップに連接する。両センタリング部材を折曲げて、左・右袖フラップと左・右側板に重ねて糊代で貼り、右側板を裏板に重ねて左側板と糊代を貼り付け、センタリング部材のない左・右袖フラップと中板と外板を重ねて中板と外板を貼り合わせる。他方も重ねて中板と外板を貼り合わせると、斜め支え片と斜め固定片が一対の山２４，２５を形成する。山は容器を挿入方向に押し、斜め固定片で容器を固定し、函から容器に伝わる外力を山の弾性変形で吸収する組函とした。【選択図】          図４
2004269013.tif 000002
【特許請求の範囲】
【請求項１】
左から右方向に折線を挟み裏板（１）と左側板（２）と表板（３）と右側板（４）と糊代（５）を連接して胴を構成し、
左側板上辺に左袖フラップ（６）、右側板上辺に右袖フラップ（８）、左側板下辺に左袖フラップ（７）、右側板下辺に右袖フラップ（９）、裏板上辺に中板（１０）、表板上辺に外板（１２）、裏板下辺に中板（１１）、表板下辺に外板（１３）の各々に折線を挟み連接し、
左袖フラップに、折線を挟み糊代（１４）と斜め支え片（１６）と斜め固定片（１８）と糊代（２０）を連接したセンタリング部材（２２）を、折線を挟んで連接し、同様に右袖フラップに、折線を挟み糊代（１５）と斜め支え片（１７）と斜め固定片（１９）と糊代（２１）を連接したセンタリング部材（２３）を、折線を挟み連接してなる展開材を使用し、
展開材のセンタリング部材を左・右袖フラップと左・右側板に折重ねて糊代を貼り付け、右側板を折曲げて裏板に重ね、左側板を折曲げて糊代を貼り付けて起こし、センタリング部材を備えない左・右袖フラップと中板と外板を順次折曲げて重ね、中板と外板を貼り合わせて閉じ、
同様に、他方の左・右袖フラップと中板と外板を順次折曲げて重ね、中板と外板を貼り合わせて閉じると、センタリング部材を構成する斜め支え片と斜め固定片が、両片の一端を連接し他端を左・右袖フラップと左・右側板に糊り付けたことで、両片の連接部が函内部に突出して一対の山（２４，２５）を形成し、
山を形成する際に函に挿入した容器を挿入方向に押し、斜め固定片上の容器をセンタリングして固定し、函から容器に伝わる外力を山の弾性変形で吸収する構成とした容器の固定と緩衝機能を備えた組函。
【請求項２】
左・右側板（２，４）に連接したセンタリング部材（２２，２３）と対称位置の辺にもセンタリング部材（３８，３９）を配置し、斜め支え片（３２，３３）と斜め固定片（３４，３５）で一対の山（４０，４１）を形成し、内部に二対の山を対称配置した請求項１に記載の容器の固定と緩衝機能を備えた組函。
【請求項３】
左・右側板（２，４）に連接したセンタリング部材（２２，２３）の反対側の辺の裏・表板（１，３）にもセンタリング部材（５８，５９）を連接して、斜め支え片（５２，５３）と斜め固定片（５４，５５）で一対の山（６０，６１）を形成し、内部に二対の山を非対称配置した請求項１に記載の容器の固定と緩衝機能を備えた組函。
【請求項４】
斜め支え片（１６，１７）と袖フラップ（７，９）、斜め固定片（１８，１９）と左・右側板（２，４）が、各々なす角度α、βを各４５±７度の範囲、袖フラップ先端から斜め支え片が立ち上げ位置までの距離Ｌ１  を袖フラップ長さの０．５５〜０．６５の範囲、斜め支え片の長さＬ２  を袖フラップ長さの０．３５〜０．４５の範囲から各々選択した組み合わせた請求項１から３の何れかに記載の容器の固定と緩衝機能を備えた組函。
【請求項５】
斜め支え片（３２，３３）と袖フラップ（６，８）、斜め固定片（３４，３５）と左・右側板（２，４）が、各々なす角度α、βを各々４５±７度の範囲、袖フラップ先端から斜め支え片が立ち上げ位置までの距離Ｌ１  を袖フラップ長さの０．５５〜０．６５の範囲、斜め支え片の長さＬ２  を袖フラップ長さの０．３５〜０．４５の範囲から各々選択した組み合わせた請求項２に記載の容器の固定と緩衝機能を備えた組函。
【請求項６】
斜め支え片（５２，５３）と袖フラップ（４５，４６）、斜め固定片（５４，５５）と裏・表板（１，３）が、各々なす角度α、βを各４５±７度の範囲、袖フラップ先端から斜め支え片が立ち上げ位置までの距離Ｌ１  を袖フラップ長さの０．５５〜０．６５の範囲、斜め支え片の長さＬ２  を袖フラップ長さの０．３５〜０．４５の範囲から各々選択した組み合わせた請求項３に記載の容器の固定と緩衝機能を備えた組函。
【請求項７】
斜め支え片（１６，１７，３２，３３，５２，５３）に容器の縁（６６）を受ける孔（２６）もしくは切り込み（２７）を設けた請求項１から６の何れかに記載の容器の固定と緩衝機能を備えた組函。
【発明の詳細な説明】
【０００１】
【産業上の利用分野】
本発明は、医薬品・化粧品等に使用する薄肉瓶等の容器を損壊から保護する包装用組函に関する。
【０００２】
【従来の技術】
損壊の可能性がある物品を包装対象とする組函の構成は、函本体と緩衝体を一体化したワンピースと呼ぶタイプとツーピース以上に分けたタイプがある。小型容器にはワンピースタイプの函を使用することが多く、充填から製函を経て包装に至る各工程が連続して自動進行する。大型容器にはツーピース以上の使用が多く、各工程が小型容器と同様に連続進行する場合と各工程が各々独立して個別に進行する場合がある。
【０００３】
函本体と緩衝体がワンピースの場合、全て折目を挟み連接した展開材はシートを打ち抜いてつくる。展開材を製函工程に装填して所要箇所に糊付けと折曲げの加工を施し、偏平状態の半製品として包装工程に送り込む。偏平状態の半製品には、胴と底を同時に形成して包装態勢がとれるワンタッチ構造と、先ず胴を先に形成し、次いで上・下開口部の一方を閉じて包装態勢がとれる構造がある。緩衝体の形成は函の部位、例えば、胴、胴と底面、胴と底面と天面の仕上がり時期で異なる。
【０００４】
函本体と緩衝体が別々ではあるが同質材料の場合、板紙の他に波形等の加工を施した段ボールが多く使われる。函本体と緩衝体が異質材料の場合、緩衝体に複雑な形状にも対応する発泡スチロールが多く使用される。展開材がワンピースかツーピース以上かに関わらず包装工程の終期で、説明書を添付した包装対象物を函内に挿入し、残された開口部を閉じて函が完成する。
【０００５】
短胴で小瓶の函は挿入する説明書が緩衝材に役立つ。長胴の瓶用の函は天面と底面で瓶の蓋と底を支え弱い胴を浮かす構造が多い。例えば、底面側の袖フラップを延長して折込み時に二重底にする構造、二重底部分に孔を開け底面の折込み時に瓶底を両脇から挟む構造、天面側の袖フラップの延長部分に丸孔を開け瓶の首を通して振れを規制する構造等がある。何れも函と容器の胴同士を触れさせないためである。また、二重胴式の函として中胴で瓶胴を支える構造もある。
【０００６】
【発明が解決しようとする課題】
本発明の対象は、函本体と緩衝体が一体化した小物包装用組函である。損壊の可能性がある容器を包装する函の要件は、どの程度、函から容器に伝わる外力を緩衝体で吸収できるかである。緩衝能力は函本体と容器と緩衝体の組み合わせと取り扱いで決まるが、十分な緩衝体のない大型の函では取り扱いが慎重になるため容器が損壊し難い。一方、函が小さくなると取扱が雑になり緩衝能力は重要になる。従って、函自体に緩衝能力を持たせるため容器周辺に空間を設けるが、振ると中の容器が動き固定が十分でないことが判る。
【０００７】
緩衝機能付きと称する函は、瓶等の容器に対して特定方向には充分な緩衝能力を発揮するが、他の方向には不充分な構造が多く見られる。緩衝能力は全方向に対して存在することが望ましいが、実現には宙吊り構造が必要になり、函本体と緩衝体がワンピースの展開材では複雑になり過ぎて難しい。製函と包装の各工程にも大きな負担を掛け、コスト高を招くので困難視されて来た。本発明は、上記問題を解決した多方向に緩衝能力を発揮する組函の提供を目的とする。
【０００８】
【課題を解決するための手段】
本発明は、左から右方向に折線を挟み裏板と左側板と表板と右側板と糊代を連接して胴を構成し、
左側板上辺に左袖フラップ、右側板上辺に右袖フラップ、左側板下辺に左袖フラップ、右側板下辺に右袖フラップ、裏板上辺に中板、表板上辺に外板、裏板下辺に中板、表板下辺に外板の各々に折線を挟み連接し、
左袖フラップに、折線を挟み糊代と斜め支え片と斜め固定片と糊代を連接したセンタリング部材を、折線を挟んで連接し、同様に右袖フラップに、折線を挟み糊代と斜め支え片と斜め固定片と糊代を連接したセンタリング部材を、折線を挟み連接してなる展開材を使用し、
展開材のセンタリング部材を左・右袖フラップと左・右側板に折重ねて糊代を貼り付け、右側板を折曲げて裏板に重ね、左側板を折曲げて糊代を貼り付けて起こし、センタリング部材を備えない左・右袖フラップと中板と外板を順次折曲げて重ね、中板と外板を貼り合わせて閉じ、
同様に、他方の左・右袖フラップと中板と外板を順次折曲げて重ね、中板と外板を貼り合わせて閉じると、センタリング部材を構成する斜め支え片と斜め固定片が、両片の一端を連接し他端を左・右袖フラップと左・右側板に糊り付けたことで、両片の連接部が函内部に突出して一対の山を形成し、
山を形成する際に函に挿入した容器を挿入方向に押し、斜め固定片上の容器をセンタリングして固定し、函から容器に伝わる外力を山の弾性変形で吸収する構成とした容器の固定と緩衝機能を備えた組函である。
【０００９】
【発明の実施の形態】
本発明は、医療品や化粧品に使用する損傷し易いガラス製瓶等の小型容器を対象に、多方向の緩衝能力を保持した包装用組函に関する。函に設ける緩衝体の構造はワンピース状の展開材でありながら、安定した位置決めが可能で多方向に緩衝能力を備えた函を目指す。即ち、函から容器に伝わる外力を緩衝材の持つ弾力で解消し、容器を函にセンタリング機能で固定化する構造である。
【００１０】
本発明のセンタリング機能付き緩衝材（以下：センタリング部材）は三種類に分けることができる。一は、センタリング部材を函の天・底面の構成材の一方に装着し、容器と共に挿入する説明書等の助けを借り、多方向に緩衝能力を備えた構造。二は、センタリング部材を函の天・底面の構成材の上・下方向に装着し、容器と共に挿入する説明書等の助けを借り、全方向に緩衝能力を備えた構造。三は、センタリング部材を函の天・底面の構成材に交差するように装着し、説明書等の有無に関わらず多方向に緩衝能力を備えた構造である。
【００１１】
センタリング部材は構成材の一端を天・底面の何れかまたは双方の袖フラップに連接し、他端を左・側板や裏・表板等の胴構成材の何れかに固定する。胴を成形して天・底面の構成材を閉じた時、袖フラップと胴構成材の間で内部に突出した山を天・底面寄りに形成し、山の頂きを境に二方向に長さの異なる斜面を形成すると、山には両斜面から弾力が付与される。山は対向面にも形成する、用途により函内部に山を一対設置するか二対を対称か非対称に配置する。
【００１２】
完成状態の函が、斜め支え片（短斜面）と袖フラップがなす角度α、斜め固定片（長斜面）と胴構成材がなす角度βを各４５±７度、好ましくは４５±５度、より好ましくは４５±３度の各範囲から選択する。袖フラップ先端から斜め支え片が立ち上がる位置までの距離Ｌ１  を袖フラップ長さの０．５５〜０．６５、斜め支え片の長さＬ２  を袖フラップ長さの０．３５〜０．４５の各範囲から選択する。上記数値は容器の底幅Ｄに対する両山頂の間隔Ｗを０．４５〜０．７０の範囲に収めるように組み合わすと、容器を弾力のよく効いた状態で支持できる。
【００１３】
上記の条件を満したセンタリング部材は、斜め支え片と斜め固定片による一対の山の間で容器の蓋か底を挟むので固定しやすく、容器が函の天面か底面に落ち込むこともない。また、山構造から柔軟性が生れ良好な緩衝効果が得られる。センタリング部材が函の天面か底面もしくは天面と底面の双方にあって、同方向の時は添付の説明書をセンタリング部材と交差配置すると緩衝能力の増加に寄与する。また、センタリング部材を天面と底面で交差配置してもよい。何れの場合も函は多方向に緩衝能力を備えることができる。また、斜め支え片に容器の縁を受ける孔か切り込みを設けると容器の固定に役立つ（図４，５，６参照）。
【００１４】
【作用】
本発明の組函は、センタリング部材の働きで容器を確実に固定し、函本体から伝わる外力を緩衝して容器の損壊を防止する。
【００１５】
【実施例１】
図１は組函を展開した裏面図である。図２（Ａ，Ｂ，Ｃ，Ｄ）は展開材を製函し、容器を挿入可能な状態にする過程の平面図である。図３（Ａ，Ｂ，Ｃ，Ｄ）は図２（Ｄ）の包装可能状態から函に瓶を挿入し底面を閉じる順序を示し、図３（Ｄ）は同図（Ｃ）のａ方向の断面矢視図である。図４は天面を閉じた空函の斜視図で、図５（Ａ，Ｂ，Ｃ）は山を構成する斜め固定片の別態様である。
【００１６】
図１の展開材は、左から右方向に折線を挟み、裏板１と左側板２と表板３と右側板４及び糊代５を連接して胴を構成する。左側板上辺に左袖フラップ６、右側板上辺に右袖フラップ８、左側板下辺に左袖フラップ７、右側板下辺に右袖フラップ９、裏板上辺は中板１０、表板上辺に外板１２、裏板下辺に中板１１、表板下辺に外板１３の各々に折線を挟み連接する。折線は押し罫を使用するが、左・右側板下辺と袖フラップの間の折線に、折曲げ易いリード罫（鎖線状の切り込み入り押し罫）を使用する。
【００１７】
左袖フラップ７に、折線を挟み糊代１４と斜め支え片１６と斜め固定片１８と糊代２０を連接したセンタリング部材２２を、折線を挟み連接する。同様に、右袖フラップ９に、折線を挟み糊代１５と斜め支え片１７と斜め固定片１９と糊代２１を連接したセンタリング部材２３を、折線を挟み連接してなる展開材を使用する。袖フラップ７，９と糊代１４，１５の間に鋭角に折れ曲げるためのハーフカットの折線、最初の糊代と斜め支え片と斜め固定片の各間にリード罫による折線、斜め固定片と糊代の間に押し罫による折線を各々設ける。
【００１８】
図２（Ａ）のように、展開材のセンタリング部材２２，２３を折曲げて、左・右側板２，４に糊代２０，２１、袖フラップ７，９に糊代１４，１５を貼り付ける。以下、同図（Ｂ）のように右側板を折曲げて裏板３に重ね、左側板を折曲げて糊代５と貼り合わせ、同図（Ｃ）の偏平状態に仕上げる。次いで、同図（Ｄ）のように、偏平状態を起こして胴を形成した後、袖フラップ７，９と中板１１と外板１３を閉じ、中板と外板を糊付けして天面を仕上げると瓶の挿入が可能な状態になる。
【００１９】
図３は函２８と容器６５（本例では瓶）との関係を示した。同図（Ａ）は天面が閉じて底面が開いた状態で、センタリング部材２２，２３は左・右側板２，４に袖フラップ７，９が密着しているが、実際は折目部分が浮き上がりやすい。この状態は同図（Ｂ）の矢印方向からの容器挿入時の障害になるので、袖フラップを外側に２０〜３０°の範囲で拡げて円滑な挿入を計る。この拡大操作は袖フラップを折畳む際、センタリング部材の折目が確実に起立しやすくなる。
【００２０】
図３（Ｃ）は袖フラップ７，９と中板１１と外板１３を折曲げて底面を閉じ山２４，２５を形成した状態である。山の形成過程で函２８に挿入した容器６５を挿入方向に押しながら、斜め固定片１８，１９で瓶６５の底６６両端を挟んでセンタリングし、斜め支え片１４，１５が柔軟に支え。両辺による山は函から容器に伝わる外力を変形により吸収して緩衝材として働く。従って、挿入時に瓶に傾斜や片寄りがあって問題はない。角度α，β＝４５°、斜め固定片１４，１５と斜め支え片１８，１９の比Ｌ１  ／Ｌ２  ＝３／２、山の間と瓶の底幅の比Ｗ／Ｄ＝約１／２としたが、数値は［００１３］項の範囲から選択すればよい。
【００２１】
図３（Ｄ）は瓶６５と説明書６７とセンタリング部材２２，２３の位置関係を示した。センタリング部材の邪魔にならぬように説明書を挿入し、センタリング部材に不足する緩衝方向を補足する。図４は底面を閉じた空函２８を透視した斜視図である。図５（Ａ）はセンタリング部材２２，２３の斜め固定片１８，１９の別態様で、ｂ方向矢視図である同図（Ｂ，Ｃ）のように孔２６か切り込み２７を設けて、瓶の底縁６６を落し込むと緩衝と固定の効果が向上する。
【００２２】
【実施例２】
図６は組函を展開した裏面図である。図７（Ａ，Ｂ，Ｃ，Ｄ）は包装可能状態から函に瓶を挿入し底面を閉じるまでの順序を示し、同図（Ｄ）は同図（Ｃ）のｃ方向の断面矢視図である。実施例１とはセンタリング部材による山を函の天面と底面の双方に形成した点以外は同じで、説明は相違点に止め同一部分については実施例１の説明を利用する。
【００２３】
展開材は図１のセンタリング部材２２，２３を連接した左・右袖フラップ７，９の反対側の左・右袖フラップ６，８にも、折線を挟みセンタリング部材３８，３９を連接する。同部材は同じ構成で折線を挟み連接した糊代３０，３１と斜め支え片３２，３３と斜め固定片３４，３５と糊代３６，３７でなる。図７（Ａ）は函４２の胴が形成された状態で天・底面は閉じていない。同図（Ｂ）は天面を閉じて山３８，３９を形成した函に説明書６７を被せた瓶６５を挿入中の状態である。
【００２４】
図７（Ｃ）は函４２に天面側のセンタリング部材３８，３９で山４０，４１を形成して瓶６５と説明書６７を挿入し、底面のセンタリング部材２２，２３で形成した山２４，２５で瓶を支えた状態で、二対の山は対称配置になる。短胴の瓶は説明書の挿入方向次第で、斜め固定片１８，１９，３４，３５の何れかと緩衝を起こす可能性がある。説明書は胴に巻き付ける等、山に接しない方法で挿入するのが望ましい。同図（Ｄ）は同図（Ｃ）のｃ方向の断面矢視図である。
【００２５】
【実施例３】
図８は組函を展開した裏面図である。センタリング部材による山を函の天面と底面の双方に形成するので実施例２と酷似するが、双方のセンタリング部材を胴板一枚分左・右にずらして部分が異なり、天面と底面の双方に形成する山と天面と底面の封緘形状が交差した非対称配置（図なし）になる。説明は相違点に止め同一部分については実施例１，２の説明を利用する。
【００２６】
展開材は、センタリング部材２２，２３を連接した左・右袖フラップ７，９の反対側の裏・表材１，３に折線を挟みセンタリング部材５８，５９を連接する。同部材も同様に折線を挟み糊代５０，５１と斜め支え片５２，５３と斜め固定片５４，５５と糊代５６，５７からなる。また、中板４７が左側板２、外板４８が右側板４に折線を挟み連接する。センタリング部材を組み立てると二対の山２４，２５，６０，６１は交差する。
【００２７】
函に容器を入れ底面を閉じると、交差する山２４，２５，６０，６１で容器の蓋と底が押されて強い自動調心機能が函に生れる。この結果、函内部で容器の位置決めが容易になり好ましい宙吊り状態に近づく。この機能は、容器が瓶のような形状の時、図５（Ａ）のような斜め固定片に孔２６を付け、瓶の縁６６を確実に保持すると一層効果がある。また、他の実施例と同様に説明書に緩衝材としての役割を持たせられるが、持たせなくても十分な効果が得られる。
【００２８】
【発明の効果】
本発明の容器の固定と緩衝機能を備えた組函から下記の効果を得た。
▲１▼センタリング部材を構成する斜め支え片と斜め固定片による山は、各片が異なる長さのため弾力性に富み、容器を柔軟、且つ、正確に保持することができる。この柔軟性が函から容器に伝わる外力を吸収し、函が落下しても函と斜め支え片と斜め固定片の損傷を防止する。
▲２▼天・底面の閉じ込みで容器をセンタリングしつつ前方に押すので、函に挿入する段階で容器が斜めに傾いたり片寄りしても問題なく固定できる。
▲３▼天面か底面にセンタリング部材を設ける場合、説明書を組み合わすと多方向に対する緩衝効果が得られる。また、天面と底面の双方にセンタリング部材を設けると、長胴の瓶を収納しても多方向の緩衝効果が得られる。また、センタリング部材を交差させると効果が一層向上し、宙吊りに近い形で容器保持ができる。
▲４▼センタリング部材の斜め固定片に孔を開け、瓶等の容器の縁を支える安定した固定化が計れる。
▲５▼袖フラップを外側に折曲げると、容器が挿入しやすくなる他、袖フラップの内折時にセンタリング部材が起立しやすくなる。
▲６▼板紙で構成するので用済み後の分別作業が容易になり、環境に優しい廃棄処理乃至はリサイクルを可能にする。
▲７▼展開材は従来の自動化した製函と包装設備を使用して処理できるので、新たな設備費を必要としない。
【図面の簡単な説明】
【図１】実施例１の組函を展開した裏面図である。
【図２】（Ａ，Ｂ，Ｃ，Ｄ）は展開材を製函機にかけ、包装対象物の容器を挿入可能な状態にする過程の平面図である。
【図３】（Ａ，Ｂ，Ｃ，Ｄ）は図２（Ｄ）の包装可能状態から函に瓶を挿入し底を閉じるまでの順序を示し、（Ｄ）は（Ｃ）のａ方向の断面矢視図である。
【図４】天板を閉じた空函の斜視図である。
【図５】（Ａ，Ｂ，Ｃ）は山を構成する斜め固定片の別態様である。
【図６】実施例２の組函を展開した裏面図である。
【図７】（Ａ，Ｂ，Ｃ，Ｄ）は包装可能状態から函に瓶を挿入し底面を閉じるまでの順序を示し、（Ｄ）は（Ｃ）のａ方向の断面矢視図である。
【図８】実施例３の組函を展開した裏面図である。
【符号の説明】
１    裏板
２  右側板
３  表板
４  左側板
５  糊代（胴）
６，７，４５  左袖フラップ
８，９，４６  右袖フラップ
１０，１１，４７  中板
１２，１３，４８  外板
１４，１５，２０，２１，３０，３１，３６，３７，５０，５１，５６，５７糊代（センタリング部材）
１６，１７，３２，３３，５２，５３  斜め支え片
１８，１９，３４，３５，５４，５５  斜め固定片
２２，２３，３８，３９，５８，５９  センタリング部材
２４，２５，４０，４１，６０，６１  山
２８，４２  函
【図１】
2004269013.tif 000003
【図２】
2004269013.tif 000004
【図３】
2004269013.tif 000005
【図４】
2004269013.tif 000006
【図５】
2004269013.tif 000007
【図６】
2004269013.tif 000008
【図７】
2004269013.tif 000009
【図８】
2004269013.tif 000010